(57)【要約】 【課題】本考案は根を強く張った草でも容易に引抜くことができ、長時間の作業でも疲労感の少ない簡便な草取具を提供することを目的とする。【解決手段】掻取板１の先端側にＶ溝２を多数形成し、且つＶ溝２の後端と連続する細溝３を少なくとも形成させた掻取板１に、柄５を取付けた構造とする。また細溝３を２段階に形成させると良く、細溝３の後端と連続する丸穴４を穿設しても良い。更に柄５としてアルミニウムパイプを使用し、柄５の下部に、滑り止め部材が被覆された把持部６を設けても良い。【選択図】図１
0003118026.tif 000002
【実用新案登録請求の範囲】
【請求項１】
掻取板（１）の先端側にＶ溝（２）を多数形成し、前記掻取板（１）に柄（５）を取付けた草取具に於いて、前記Ｖ溝（２）の後端と連続する細溝（３）を少なくとも形成させたことを特徴とする草取具。
【請求項２】
前記細溝（３）が２段階である請求項１記載の草取具。
【請求項３】
前記細溝（３）の後端と連続する丸穴（４）が穿設された請求項１又は２記載の草取具。
【請求項４】
前記柄（５）がアルミニウムパイプである請求項１記載の草取具。
【請求項５】
前記柄（５）の下部に滑り止め部材を被覆させた把持部（６）が設けられた請求項１又は４記載の草取具。
【考案の詳細な説明】
【技術分野】
【０００１】
本考案は雑草などを取除く際に用いる草取具に関する。
【背景技術】
【０００２】
従来から、根の強い雑草等を取除くために用いる道具としては色々のものがあるが、市販されている手軽で便利なものとして、刃体に柄が付いた鏝のようなものや、複数の連続するＶ溝を有した鍬のような掻取板に柄が付けられたものなどが市販されている。又、登録実用新案第３１００３６４号の草取具が提案されている。この草取具の構造は、一端側に切欠部が設けられた刃部を有した板状の刃部材（掻取板）に、保持部（柄）が直角に取付けられた鎌に似たものである。
【０００３】
しかしながら前記刃体に柄が付いた鏝のようなものは、一方の手で雑草を把持し、他方の手によって刃体を雑草の根元付近に差込んで雑草の根元を切断或いは掻取ると共に腰を曲げた状態で雑草を１本ずつ処理しているため、広い場所の草取りには不向きであった。又、複数のＶ溝を有した鍬のような掻取板に柄が付けられたものは、余り腰を曲げる必要がないため、作業姿勢は問題ないが、図２（ｂ）に示すように複数のＶ溝だけであるため、雑草がＶ溝の基部に引掛からずにそのＶ溝の基部から外側へ逃げ出し、草取りが出来ずに残ってしまう雑草が多く生じ易かった。しかも掻取板の両側にＶ溝の半分相当が形成されて斜めになっているため、ブロックや石等で囲まれた花壇の周囲などを草取りする際に、ブロックに掻取板の側面を密着して草取りが行われても、Ｖ溝の半分相当分の空間が生じて草取りが行えない箇所が残ってしまう等の欠点があった。更に登録実用新案第３１００３６４号の草取具は、一方の手で雑草を把持し、他方の手に保持部を保持して切欠部に雑草の根元近傍部分を挟込んだ状態で、草取具を切欠部側に引寄せれば、一方の手で把持した雑草の根元部分に負荷が加わり、その雑草を切断することなく根元から引抜くことが出来るが、作業姿勢が腰を曲げた状態となるため、広い場所の草取りには不向きであり、且つ長時間に渡って作業を行うと腰を痛め易い等の欠点があった。
【特許文献１】登録実用新案第３１００３６４号公報
【考案の開示】
【考案が解決しようとする課題】
【０００４】
本考案は根を強く張った草でも容易に引抜くことができ、長時間の作業でも疲労感の少ない簡便な草取具を提供することを目的とする。
【課題を解決するための手段】
【０００５】
本考案は上記欠点を解消するために成されたものであり、つまり、掻取板の先端側にＶ溝を多数形成し、且つ各Ｖ溝の後端と連続する細溝を少なくとも形成させた掻取板に、柄を取付けた構造とする。また細溝を２段階に形成させると良く、細溝の後端と連続する丸穴を穿設しても良い。更に柄としてアルミニウムパイプを使用し、柄の下部に、滑り止め部材が被覆された把持部を設けても良い。
【考案の効果】
【０００６】
請求項１のように掻取板（１）の先端側にＶ溝（２）を多数形成し、該Ｖ溝（２）の後端と連続する細溝（３）を少なくとも形成させると共に掻取板（１）に柄（５）が取付けられていることにより、強く根の張った草（７）や根元の細い草（７）も容易に引抜くことができ、且つ腰を曲げず、鍬を持つ状態で掻取板（１）の幅分の雑草をまとめてＶ溝（２）に引込んで処理することが出来るため、草取り作業効率が向上すると共に、広い場所の草取りを長時間行っても疲労感の少ないものとなる。また構造が簡単であるので、簡便な草取具として安価に提供出来るものとなる。更に前記細溝（３）を長くすることにより、その細溝（３）の草（７）がいっぱいになるまで連続して草取り作業が行えるものとなる。
【０００７】
請求項２のように細溝（３）を２段階にすることにより、雑草（７）の根元の細いものや柔らかなものでも、確実に引抜いて草取り作業が行えるものとなる。
【０００８】
請求項３に示すように細溝（３）の後端と連続する丸穴（４）を穿設させることにより、細溝（３）に応力が集中することを防止させることができるため、草取具の寿命を延ばすことが可能となる。又、尖った部分や角ばった部分だけでなく、丸みがあることにより、見た目がソフトになり、他の商品との差別化が可能となる。
【０００９】
請求項４に示すように柄（５）としてアルミニウムパイプを使用すると、草取具の重量が軽くなるため、草取り作業が楽になり、且つ腰を曲げずに作業が行え、広い場所の草取りを長時間に渡って行っても腰に加わる負担が減少されるものとなる。
【００１０】
請求項５のように柄（５）の下部に滑り止め部材が被覆された把持部（６）を設けることにより、柄（５）がしっかりと把持出来るため、草取具に力が入り、草取り作業の効率アップに貢献できるものとなる。
【考案を実施するための最良の形態】
【００１１】
図１は本考案の実施形態を示す図であり、これに基づき説明する。(１)は所定の草取り幅を有した薄板の掻取板であり、該掻取板（１）の板厚としては、１〜３ｍｍを使用すると良い。又、前記掻取板（１）の材質としては、バネ鋼やＳＫ鋼を用いるのが好ましい。尚、前記掻取板（１）の板厚や材質は上記に限定されるものではない。（２）は掻取板（１）の先端側に多数形成した連続するＶ溝であり、該Ｖ溝（２）は太めの草（７）を引抜く際に使用する。尚、前記Ｖ溝（２）の連続形成は掻取板（１）の両端が図２（ａ）、図１に示すよう三角形の尖部が来るように形成する。又、前記Ｖ溝（２）は必ずしも連続形成せず、図３（ｃ）に示すように断続的に形成し、先端側に平部（11）を残しても良い。特に砂地以外の草取りには、先端側に平部（11）を残したものを使用すると、掻取板（１）の先端側の磨耗が少なくなり、且つ先端側が欠けにくいものとなるのである。
【００１２】
（３）はＶ溝（２）の後端に形成させた図３（ａ）〜（ｄ）に示すような連続する細溝であり、該細溝（３）の幅としては、１〜５mm、長さ（奥行き）としては、３〜１０mmが良く、好ましくは幅を１mmで、長さを７mmに形成する。又、前記細溝（３）を２段階とし、図３（ｄ）に示すような１段目の細溝（31）と２段目の細溝（32）を穿設させ、その境にテーパー部（33）を設けたものとしても良い。尚、前記細溝（３）は細めの草（７）を引抜くことが可能となるためのものである。（４）は細溝（３）の後端に穿設させた連続する丸穴であり、該丸穴（４）は、図３に示すように細溝（３）の幅よりも大きなものを穿設する。（５）は掻取板（１）に取付けた金属製の丸パイプの柄であり、該柄（５）としては、アルミニウムパイプを用いると良いが、これに限定されるものではない。（６）は柄（５）の下部外周にゴムや柔軟な合成樹脂などの滑り止め部材を被覆させて設けた把持部である。
【００１３】
次に本考案の使用方法を説明する。先ず始め雑草（７）を取除く作業者は、柄（５）の把持部（６）を握る。そして通常の鍬を使用する要領で力を入れずに軽く雑草（７）の根元付近に掻取板（１）を下ろして引寄せる。すると、Ｖ溝（２）に沿って引込まれた雑草（７）は、そのＶ溝（２）に確実に挟込まれ、更に根元部分に負荷が加わることにより、この雑草（７）を根元から引抜くことが出来るのである。この場合、腰を殆ど曲げずに作業が行えると共に草取具を１回下ろせば、掻取板（１）の幅分が綺麗に草取りされた状態となるのである。
【００１４】
図４は本考案の作用を示す図であり、この図に基づいて本考案の作用を説明する。先ず掻取板（１）を雑草（７）の根元付近に下ろして引寄せると、雑草（７）はＶ溝（２）に沿って引込まれて、その根元がＶ溝（２）或いは細溝（３）で確実に挟込まれ、更に根元部分に負荷が加わることにより、この雑草（７）を根元から引抜くことが出来るのである。この時、根元が太い雑草（７）はＶ溝（２）のＡ位置で確実に挟込まれる。又、それよりも根元が細い雑草（７）は、Ｖ溝（２）の基部のＢ位置で確実に挟込まれる。更に根元が細い雑草（７）は、Ｖ溝（２）を通過して細溝（３）に達して根元から引抜かれる。この場合、細溝（３）が２段階のものに於いては、１段目の細溝（31）のＣ位置（基部）で、それよりも若干細い根元のものは、テーパー部（33）に食い込みＤ位置で挟込まれ、それよりも更に細い根元のものは、２段目の細溝（31）のＥ位置で挟込まれ、各太さの雑草（７）は根元から引抜かれ、従来品の如き引抜かれずに残る雑草（７）は殆どなくなり、本考案品を１回下ろせば、掻取板（１）の幅分が綺麗に草取りされた状態となるのである。従って、図１や図２（ａ）のようにＶ溝（２）による三角形の尖部が両側に来るようにした本考案品は、ブロックや石等で囲まれた花壇の周囲などを草取りする際でも、ブロックに密着して草取りを行えば、従来品と異なり、掻取板（１）の両側が土壌に差込まれて、生えている雑草（７）を確実にＶ溝（２）或いは細溝（３）に引込み、雑草（７）の抜き残しが殆どなくなるものとなる。尚、前記掻取板（１）の先端を三角状に形成しておくと、その先端を固い地中に突き刺して雑草（７）の根元を掘り起こすことも出来るものとなる。
【００１５】
次に細溝（３）に雑草（７）が略いっぱいになり、雑草（７）の抜き残しが出始めた時には掻取板（１）の先端を、引寄せる方向と反対側へ押圧すれば、Ｖ溝（２）或いは細溝（３）に詰まった雑草（７）が簡単に除去できる。その後、上記要領で草取り作業を続行すれば良い。又、草取り時に、雑草（７）の根元が太いものや根がしっかり張ったものがある場合には、一度、雑草（７）の根元を引寄せる方向と反対側へ押してから引寄せることにより、綺麗に雑草（７）を引抜くことが出来る。
【図面の簡単な説明】
【００１６】
【図１】本考案の全体形状を示す斜視図である。
【図２】本実施形態の掻取板と従来の掻取板の要部を示す説明図である。
【図３】本実施形態で使用する掻取板の先端側形状の各種類を示す説明図である。
【図４】本考案の作用を示す説明図である。
【符号の説明】
【００１７】
１  掻取板
２  Ｖ溝
３  細溝
４  丸穴
５  柄
６  把持部
【図１】
0003118026.tif 000003
【図２】
0003118026.tif 000004
【図３】
0003118026.tif 000005
【図４】
0003118026.tif 000006